(57)【要約】【課題】  カード型デバイス挿抜用スロットを具備する電子機器の展示中に、不審者により、該カードが抜き取られ、あるいは不正なカードが挿入され、機器が不正に使用されることを防止する手段を提供する。【解決手段】  カード挿抜用スロットの開口部６から挿入されたカード７を、機器内部の所定位置に保持することを目的とするロック板３が、カード７をロックした状態でロック板３を拘止するラッチ装置を具備し、カードロック機能が容易に解除されることを制限する。ラッチ解除時には、ラッチ解除用突起物８の尖端を、機器筐体面に配設したラッチ解除孔１を挿通させ、ロック板３を押圧することにより、ロック板３を拘止するラッチ機能を無効にし、同時にロック板３と一体に形成したノブ２を操作し、カードロックを解除する。【選択図】  図１
2005352809.tif 000002
【特許請求の範囲】
【請求項１】
機器筐体にカード型デバイス挿抜用スロットを具備する電子機器において、前記スロットに挿入されたカード型デバイスを所定位置に保持するためのロック板、および、該ロック板によるカードロックを解除する操作を制限するためのラッチ装置を具備したことを特徴とする電子機器。
【請求項２】
請求項１に記載の電子機器において、突起物を機器筐体面に配設したラッチ解除孔を挿通し、ラッチ状態にあるロック板を押圧することにより、ロック板のラッチを解除したことを特徴とする電子機器。
【発明の詳細な説明】
【技術分野】
【０００１】
本発明は、磁気カードや半導体記憶素子組み込みカードなどのカード型デバイス挿抜用スロットを有する電子機器の展示中に、該カードの抜き取り盗難被害、および、盗難カードや不正なカードの挿入による不正な放送番組視聴などの犯罪被害を未然防止する防犯技術に関する。
【背景技術】
【０００２】
放送の送受信システムへのデジタル化技術の導入に伴い、視聴者による放送番組情報の不正な複製や改変の防止による著作権保護、および、双方向サービス利用や有料放送視聴の許諾などの目的で、特定の視聴者と放送事業者による受信契約に基づく視聴権を認証する手段として、視聴者毎に設定された固有情報を記憶させたカード（以下、カード）を受信機のスロットに挿入するシステムが広く適用されている。
【０００３】
前記の機能を具備する機器を展示中に、前記カードの抜き取り盗難被害、盗難カードや不正なカードの使用による不正な放送番組視聴などの犯罪被害が発生しており、該カード盗難被害の防止手段として、特許公開公報「特開平１０−１７１５５２」に見られるごとく、カードを所定位置に保持するためのロック機構をケンジントンロックにより拘止する発明が、考案されている。
【特許文献１】特開平１０−１７１５５２  「ポートリプリケータ」
【発明の開示】
【発明が解決しようとする課題】
【０００４】
本発明は、カード挿抜用スロットを具備する電子機器の展示中に、不審者により、該スロットからカードが抜き取られ、あるいは該スロットに不正なカードが挿入され、機器が不正に使用されることを防止する手段を提供する。
【課題を解決するための手段】
【０００５】
カード挿抜用スロットの開口部から挿入されたカードを、機器内部の所定位置に保持するロック機構の操作用ノブのラッチ装置を具備し、カードロック機能が容易に解除されることを制限することにより、機器内部の所定位置に保持されたカードの抜き取り盗難や不正なカードの使用による被害を防止する。ロック解除時は、機器筐体の外部からラッチ解除用突起物の尖端を機器筐体面に配設したラッチ解除孔を通じ、前記のロック機構操作用ノブと一体に形成されたロック板を押圧し、ラッチ機能を解除する。
【発明の効果】
【０００６】
磁気カードや半導体記憶素子組み込みカードなどのカード型デバイス挿抜用スロットを有する電子機器の展示中に、該カードの抜き取り盗難被害、および、盗難カードや不正なカードの使用による不正な放送番組視聴などの犯罪被害を未然防止する。本発明の具体的実施例として、日本国内向けの地上波デジタル放送のテレビ受信機用のＢ−ＣＡＳ（BS-Conditional
Access System）カードに適用し、有効である。
【０００７】
機器内に装填されたカードを取り出すには、下記のごとく、両手によるカードロック解除手順を必要とし、機器展示環境での不正行為を抑止することが可能となる。（１）片手で、ラッチ解除用突起物の尖端を機器筐体面に配設したラッチ解除孔を挿通し、機器内部のロック板を押圧し、ロック板のラッチ状態を解除する。（２）他方の手で、ノブを押し上げ、ノブと一体に形成したロック板を上方に移動させ、カードの移動経路を解放し、カードを機器筐体外に引き抜く。
【発明を実施するための最良の形態】
【０００８】
図１は、実施例におけるカード挿抜用スロット６、スロット内に挿入されたカード７、カードを機器内部の所定位置に保持するロック板３、ロック板３を上下に移動させるためにロック板３と一体に形成されたノブ２、ロック板３をロック位置にラッチするためにロック板３と一体に形成したラッチ用突起４、および、ラッチを解除するために、ラッチ解除用突起物８の尖端が、機器筐体９に配設されたラッチ解除孔１を挿通し、ロック板３を押圧する本発明の主要部分を示す斜視図である。
【０００９】
図２は、図１に示すカードロック機構部分の切断線Ｃ−Ｃ’に沿って切断した縦断面図である。カード挿抜用スロット６を通じ、機器内に挿入されたカード７を所定の位置に保持するため、ノブ２を図中で下方に押下する事により、ノブ２と一体に形成したロック板３も共に下方に移動する。ロック板３と一体に形成されたラッチ用突起４は、機器筐体９と一体に形成されたラッチ用窪み５に嵌入し、ラッチされる。一旦、ラッチされたロック板３は、ロック板３と一体に形成されたノブ２の操作のみでは、容易に引き上げることが出来ない。
【００１０】
図３は、機器内の所定位置に保持されたカード７のロックが解除された状態を示す。ラッチ解除用突起物８の尖端を機器筐体９のラッチ解除孔１を挿通させ、ロック板３を押圧する事により、弾性を有するロック板３が湾曲に変形し、ロック板３と一体に形成されたラッチ用突起４は、機器筐体９の裏面に形成されたラッチ用窪み５から外れる。同時に、ノブ２を押し上げることにより、ノブ２と一体に形成したロック板３が上方に移動し、カード７がカード挿抜用スロット６を通じ、機器筐体外へ引き抜くことが可能となる。
【産業上の利用可能性】
【００１１】
本発明は、放送番組の視聴認証用カードに限定せず、番組内容の記録用の半導体記憶素子を内蔵するカード型記憶デバイス、磁気カード、その他のカードデバイス、および、カード挿抜用スロットを具備する電子機器に適用可能である。
【図面の簡単な説明】
【００１２】
【図１】カード挿抜用スロット、ロック板、ロック板の操作ノブ、および、ロック板ラッチ機構の主要構成構成部分を示す斜視図である。
【図２】図１に示す主要構成部分の切断線Ｃ―Ｃ’に沿って切断した縦断面図である。
【図３】機器内の所定位置に保持されたカードのロックが解除された状態を示す縦断面図である。
【符号の説明】
【００１３】
１：ラッチ解除孔
２：ノブ
３：ロック板
４：ラッチ用突起
５：ラッチ用窪み
６：カード挿抜用スロット
７：カード
８：ラッチ解除用ピン突起物
９：機器筐体
【図１】
2005352809.tif 000003
【図２】
2005352809.tif 000004
【図３】
2005352809.tif 000005